(57)【要約】【課題】被取付部に埋め込まれている器具本体が断熱部材によりくるまれている照明器具において、ＬＥＤ光源の発する熱を効率よく放熱できるＬＥＤ照明器具を提供する。【解決手段】被取付部１１から照明方向に露出する枠部２８を、ＬＥＤ光源２６を収容する器具本体２０Ａと一体で設けて、ＬＥＤ光源２６が発した熱が器具本体２０Ａを介して枠部２８に伝達されるようにしたので、枠部２８から効率よく放熱することができる。【選択図】図１
2013222542.tif 000002
【特許請求の範囲】
【請求項１】
ＬＥＤ光源を収容する器具本体と、
前記器具本体を被取付部に取り付けた状態で、前記被取付部から照明方向に露出する枠部と、を有し、
前記枠部が前記器具本体と一体で設けられており、前記ＬＥＤ光源が発した熱が前記器具本体を介して前記枠部に伝達されるＬＥＤ照明器具。
【発明の詳細な説明】
【技術分野】
【０００１】
本発明は、被取付部に埋め込まれて断熱材で覆われるＬＥＤ照明器具に関するものである。
【背景技術】
【０００２】
従来より、被取付部に埋め込まれる埋込型の照明器具において、熱の要因が光源であるＬＥＤの寿命に大きく影響することから、ＬＥＤが発する熱に対して対策が施されている（例えば、特許文献１参照）。
図３に示すように、特許文献１に記載の照明器具１００は、天井板１０１に埋め込まれて下方を照明するのに用いられる。照明器具１００は筐体１０４を有しており、筐体１０４の内部では、複数の光源であるＬＥＤ１０２と、ＬＥＤ１０２を駆動する駆動基板１０３が設けられている。筐体１０４の内部には、ＬＥＤ１０２等が発する熱を放熱するために、放熱部１０５、１０６が設けられており、放熱部１０５、１０６に空気を送る軸流ファン１０７が設けられている。
従って、軸流ファン１０７により、取入孔１０８から空気を取り入れて、吐出孔１０９から空気を吐き出すことにより、放熱部１０５、１０６の熱を筐体１０４の外部に放熱する。
【０００３】
また、図４に示すように、天井板１１１に埋め込む照明器具１１０において、天井裏にある熱源であるＬＥＤ１１３や電源部１１４を断熱材１１２で覆う場合がある。
この場合、断熱材１１２で覆われた空間１１５内に輻射により放熱して、ＬＥＤ１１３の冷却を行う。
【先行技術文献】
【特許文献】
【０００４】
【特許文献１】特開２０１０−１５３１９８号公報（第２図）
【発明の概要】
【発明が解決しようとする課題】
【０００５】
しかしながら、図４において前述した従来の照明器具１１０のように断熱材１１２で覆う場合において、設置空間が小さい場合には、断熱材１１２が照明器具１１０に密着して設けられる場合がある。
このような場合には、放熱するための空間１１５が小さいため、十分な放熱効果が得られないという問題があった。
【０００６】
本発明は、従来の問題を解決するためになされたもので、被取付部に埋め込まれている器具本体が断熱部材によりくるまれているＬＥＤ照明器具において、ＬＥＤ光源の発する熱を効率よく放熱できるＬＥＤ照明器具を提供することを目的とする。
【課題を解決するための手段】
【０００７】
本発明のＬＥＤ照明器具は、ＬＥＤ光源を収容する器具本体と、前記器具本体を被取付部に取り付けた状態で、前記被取付部から照明方向に露出する枠部と、を有し、前記枠部が前記器具本体と一体で設けられており、前記ＬＥＤ光源が発した熱が前記器具本体を介して前記枠部に伝達されるものである。
【発明の効果】
【０００８】
本発明は、被取付部から照明方向に露出する枠部を、ＬＥＤ光源を収容する器具本体と一体で設けて、ＬＥＤ光源が発した熱が器具本体を介して枠部に伝達されるようにしたので、枠部から効率よく放熱することができるという効果を有するＬＥＤ照明器具を提供できる。
【図面の簡単な説明】
【０００９】
【図１】本発明に係る第１実施形態のＬＥＤ照明器具の断面図
【図２】本発明に係る第２実施形態のＬＥＤ照明器具の断面図
【図３】従来の埋込式の照明器具の断面図
【図４】断熱材で覆われた従来の埋込式の照明器具の断面図
【発明を実施するための形態】
【００１０】
（第１実施形態）
以下、本発明に係る第１実施形態のＬＥＤ照明器具について、図面を用いて説明する。
図１に示すように、本発明に係る第１実施形態のＬＥＤ照明器具１０Ａは、被取付部である天井面１１に設けられている取付孔１２に埋め込まれて、主に下方を照明するのに用いられる。
【００１１】
ＬＥＤ照明器具１０Ａは、例えば上下が開口した円柱形状の器具本体２０Ａを有する。上開口２１には蓋２２が取り付けられる。下開口２３には、透光性のカバー２４を取り付けてもよい。
器具本体２０Ａの中央高さ位置には、支持台２５がねじ２５１によって器具本体２０Ａの内面に面接触で密着して取り付けられている。支持台２５は、高熱伝導性かつ高放熱性材料により形成されている。
支持台２５には、ＬＥＤ光源であるＬＥＤ電球２６を交換可能に取り付けるソケット２７が、取り付けられている。ソケット２７は、高熱伝導性かつ高放熱性材料で形成されており、面接触で密着して支持台２５に取り付けられている。
【００１２】
器具本体２０Ａの下端部には、天井面１１から下方に露出する円形枠状の枠部２８が一体的に設けられている。
器具本体２０Ａの外側には、外枠２９が設けられており、器具本体２０Ａと外枠２９との間には、空間３１が設けられている。外枠２９は、上端部および下端部において、器具本体２０Ａの全周にわたって面接触で取り付けられている。
外枠２９には取付ばね３２が、周方向に沿って複数個設けられており、枠部２８との間に天井部材１４を挟んで器具本体２０Ａを固定する。
【００１３】
器具本体２０を天井面１１の取付孔１２に取り付けた後、天井裏１３にある器具本体２０Ａおよび外枠２９の外側面を、断熱材３３で覆う。
断熱材３３は自由に塑性変形するため、器具本体２０等に押し付けて、密着するようにする。
【００１４】
従って、熱源であるＬＥＤ電球２６が発した熱は、一部は直接器具本体２０Ａ内部に放出され（図１中矢印Ｈ１参照）、大部分はソケット２７に伝達される（図１中矢印Ｈ２参照）。ソケット２７に伝達された熱は、一部は器具本体２０Ａの内部空間２０１に放出され、断熱材３３に伝達される（図１中矢印Ｈ３参照）。
また、ソケット２７に伝達された熱は、ソケット２７が密着して取り付けられている支持台２５に伝達され（図１中矢印Ｈ４参照）、一部は支持台２５から器具本体２０Ａの内部空間に放出される（図１中矢印Ｈ５参照）。
【００１５】
支持台２５に伝達された熱は、支持台２５が密着して取り付けられている器具本体２０Ａに伝達され、一部は器具本体２０Ａから断熱材３３に伝達される（図１中矢印Ｈ６参照）。また、一部は、器具本体２０Ａから枠部２８に伝達されて（図１中矢印Ｈ７参照）、枠部２８から室内等に放出される（図１中矢印Ｈ８参照）。
器具本体２０Ａに伝達された熱は、器具本体２０Ａと外枠２９との間の空間３１に放出され（図１中矢印Ｈ９参照）、外枠２９から断熱材３３に伝達される（図１中矢印Ｈ１０参照）。また、器具本体２０Ａから器具本体２０Ａの内部空間に放出される（図１中矢印Ｈ１１参照）。
【００１６】
以上、説明した本発明に係る第１実施形態のＬＥＤ照明器具１０Ａによれば、天井面１１から照明方向に露出する枠部２８を、ＬＥＤ電球２６を収容する器具本体２０Ａと一体で設けた。
これにより、ＬＥＤ電球２６が発した熱が器具本体２０Ａを介して枠部２８に伝達されるので、枠部２８から効率よく放熱することができる。
【００１７】
（第２実施形態）
次に、本発明に係る第２実施形態のＬＥＤ照明器具について、図面を用いて説明する。
なお、前述した第１実施形態に係るＬＥＤ照明器具１０Ａと共通する部位には同じ符号を付して、重複する説明を省略することとする。
図２に示すように、第２実施形態のＬＥＤ照明器具１０Ｂは、器具本体２０Ｂの外側に、外壁３４を一体的に設けた。
また、ＬＥＤ電球２６を取り付けるソケット２７を、ソケット台３５を介して蓋２２に取り付けた。
【００１８】
以上、説明した本発明に係る第２実施形態のＬＥＤ照明器具１０Ｂによれば、外壁３４を器具本体２０Ｂと一体で設けたので、外壁３４にも熱が伝わり、枠部２８に熱が伝わりやすくなる。これにより、枠部２８から効率よく放熱できる（図２中矢印Ｈ８参照）。
また、外壁３４から天井部材１４の端面１４１に熱が伝わりやすくなる（図２中矢印Ｈ１２参照）。
また、ＬＥＤ電球２６からの熱が、ソケット２７およびソケット台３５を介して蓋２２に伝達され、器具本体２０に伝達されるので、放熱性が向上する。
【００１９】
なお、本発明のＬＥＤ照明器具は、前述した各実施形態に限定されるものでなく、適宜な変形、改良等が可能である。
例えば、前述した各実施形態における器具本体２０Ａ、２０Ｂおよび枠部２８に、放熱性能を高める表面処理を行うと、一層効果的である。
また、ＬＥＤ光源としてＬＥＤ電球２６を用いた場合について説明したが、電球の場合に限らない。
【符号の説明】
【００２０】
１０Ａ、１０Ｂ  ＬＥＤ照明器具
１１  天井面（被取付部）
２０Ａ、２０Ｂ  器具本体
２６  ＬＥＤ電球（ＬＥＤ光源）
２８  枠部
【図１】
2013222542.tif 000003
【図２】
2013222542.tif 000004
【図３】
2013222542.tif 000005
【図４】
2013222542.tif 000006